(57)【特許請求の範囲】
【請求項１】
携帯電話機の充電池が消耗したときに携帯電話機に接続されて該充電池に電気を充電する携帯可能な携帯用充電器であって、
携帯可能なボディと、
該ボディに一体的に設けられたソーラー発電用のソーラーパネルと、
前記ボディに内蔵され、前記ソーラーパネルで発電された電気を蓄える蓄電部と、
前記ボディの端部に設けられ、そのボディ内の前記蓄電部から電力の供給を受けて発光する照明用発光素子と、
前記ボディに設けられてその照明用発光素子への通電をオン・オフする照明スイッチと、
前記ボディに形成され、前記携帯電話機のコネクタ部に接続されることにより前記ソーラーパネルで発電されてボディ内の前記蓄電部に蓄電されている電気を携帯電話機の充電池に充電する第１コネクタ部と、
前記ボディに形成され、パーソナルコンピュータのコネクタ部に接続されることにより前記ソーラーパネルで発電されてボディ内の前記蓄電部に蓄電されている電気をパーソナルコンピュータの充電池に充電、又は前記蓄電部に蓄電されている電気によりパーソナルコンピュータを駆動する第２コネクタ部とを備え、
前記ソーラーパネルで発電されてボディ内の蓄電部に蓄電された電気により、前記第１コネクタ部を介しての携帯電話機への充電機能と、前記第２コネクタ部を介してのパーソナルコンピュータへの充電又は駆動機能と、前記照明用の発光素子への通電による照明発光機能とを有して、充電器兼携帯ライトの役割を果たすとともに、
前記ソーラーパネルを有するパネル部には、前記ボディに形成された前記第２コネクタ部と接続される第３コネクタ部が形成され、
前記ボディ側の第２コネクタ部がパネル側の第３コネクタ部に接続されることにより前記ソーラーパネルと前記蓄電部とが電気的に接続され、前記ソーラーパネルで発電された電気を前記蓄電部に蓄電するとともに、前記ボディ側の第２コネクタ部が前記パネル側の第３コネクタ部と非接続の状態のときにその前記ボディ側の第２コネクタ部を介して前記パーソナルコンピュータへの充電又は駆動を行うことを特徴とする携帯用充電器。
【請求項２】
前記ソーラーパネルを有するパネル部が前記ボディに着脱自在に取付けられ、前記ボディに内蔵された蓄電部と、前記パネル部に備えられたソーラーパネルが切離し可能とされたことを特徴とする請求項１に記載の携帯用充電器。
【請求項３】
前記ボディ側の第２コネクタ部は、ＵＳＢ方式でパーソナルコンピュータと接続されることを特徴とする請求項１又は２に記載の携帯用充電器。
【請求項４】
前記ボディは扁平でほぼ方形状をなし、その端部に前記第２コネクタ部が設けられ、
前記パネル部は扁平でほぼ方形状をなし、前記ボディに取付けられたときに、前記ソーラーパネルを外にしてボディの表面を覆う形態を呈し、その端部に前記ソーラーパネルの裏面側に張り出した張出部が形成され、
前記パネル部がボディに取付けられるときに、前記ボディの前記第２コネクタ部が設けられた端部に対向する前記張出部の内側面に前記第３コネクタ部が設けられ、
前記パネル部とボディとが離脱状態のときに前記第２コネクタ部と第３コネクタ部とが互いに露出するとともに、前記パネル部がボディに取付けられたときに前記第２コネクタ部と第３コネクタ部とが接続状態で前記パネル部の張出部により隠蔽された形態を呈することを特徴とする請求項１ないし３のいずれか１項に記載の携帯用充電器。
【請求項５】
前記ボディの長手方向の両外側面にスライドガイド部が形成されるとともに、前記パネル部の長手方向のソーラーパネルの裏面両側に、前記スライドガイド部にスライド可能に係合する被スライドガイド部が形成され、
前記ボディのスライドガイド部に前記パネル部の被スライドガイド部が係合状態でスライドすることにより、前記パネル部がボディに着脱される際のガイドの役割を果たし、そのボディに対するパネル部のそのスライドの終端付近で前記パネル部の第３コネクタ部と前記ボディの第２コネクタ部とが、そのスライド移動を利用して嵌まり合って電気的に接続状態となり、その接続状態となったときに前記ソーラーパネルで発電された電気を前記蓄電部に蓄電する一方、前記ボディの第２コネクタ部と前記パネル部の第３コネクタ部とが離脱して、非接続状態となったときに第２コネクタ部を介して前記パーソナルコンピュータへの充電又は駆動を行うことを特徴とする請求項１ないし４のいずれか１項に記載の携帯用充電器。
【請求項６】
前記ボディとパネル部との一方にガイド溝部、他方に該ガイド溝部にスライド可能に係合するガイド突条部とが形成されて、ボディに形成されたガイド溝部又はガイド突条部が前記スライドガイド部として、またパネル部に形成されたガイド突条部又はガイド溝部が前記被スライドガイド部として機能することを特徴とする請求項５に記載の携帯用充電器。
【請求項７】
前記ボディの前記第２コネクタ部の反対側の端部に前記発光素子が設けられたことを特徴とする請求項１ないし６のいずれか１項に記載の携帯用充電器。
【請求項８】
前記ボディの前記発光素子の側の端部に、該端部の端面上に出現状態と非出現状態とを呈するように移動可能に前記第１コネクタ部が設けられたことを特徴とする請求項７に記載の携帯用充電器。
【請求項９】
前記ボディの前記第１コネクタ部の側に、該第１コネクタ部を出現状態と非出現状態との間で移動させるコネクタ移動操作部材を設けたことを特徴とする請求項８に記載の携帯用充電器。
【発明の詳細な説明】
【技術分野】
【０００１】
本発明は、携帯電話機の充電池が消耗したときに携帯電話機に接続されてその充電池に電気を充電する携帯用充電器に関し、特にパーソナルコンピュータへの充電などの機能を併せもった携帯用充電器に関する。
【背景技術】
【０００２】
従来、携帯電話機の充電池が消耗した場合に、定期的に家庭等で携帯電話機に充電して通話できるようにしている。そのような充電器の一種として、ソーラーパネルを備えた太陽光発電で得た電気を、携帯電話機に充電するものが、特許文献１として提案されている。
【０００３】
【特許文献１】特開２００１−３２７０９８号公報
【発明の開示】
【発明が解決しようとする課題】
【０００４】
しかしながら、特許文献１では、コードレスタイプのソーラー型充電器が開示されているが、商用コンセントへの差込みプラグも併用するもので、携帯に適するとは言いにくい。ところで近年ではパーソナルコンピュータの普及がすすみ、持ち運びし易いノート型パソコンが様々な場所で使用されるケースも多い。このようなノート型パソコンは高性能化とともに種々機能が搭載され電力使用量も大きく充電池が消耗し易い傾向にある。災害時などには充電池が消耗して使えなくなってしまうことも起こり得る。
【０００５】
本発明は上記した背景をもとになされたもので、携帯電話機への充電機能に加え、パーソナルコンピュータへの充電又は駆動機能を有し、携帯し易く、災害時等にも役立つソーラー蓄電を用いた携帯用充電器を提供することを課題とする。
【課題を解決するための手段及び発明の効果】
【０００６】
上記課題を解決するために本発明携帯用充電器は、携帯電話機の充電池が消耗したときに携帯電話機に接続されて該充電池に電気を充電する携帯可能な携帯用充電器であって、
携帯可能なボディと、
該ボディに一体的に設けられたソーラー発電用のソーラーパネルと、
ボディに内蔵され、ソーラーパネルで発電された電気を蓄える蓄電部と、
ボディの端部に設けられ、そのボディ内の蓄電部から電力の供給を受けて発光する照明用発光素子と、
ボディに設けられてその照明用発光素子への通電をオン・オフする照明スイッチと、
ボディに形成され、携帯電話機のコネクタ部に接続されることによりソーラーパネルで発電されてボディ内の蓄電部に蓄電されている電気を携帯電話機の充電池に充電する第１コネクタ部と、
ボディに形成され、パーソナルコンピュータのコネクタ部に接続されることによりソーラーパネルで発電されてボディ内の蓄電部に蓄電されている電気をパーソナルコンピュータの充電池に充電、又は蓄電部に蓄電されている電気によりパーソナルコンピュータを駆動する第２コネクタ部とを備え、
ソーラーパネルで発電されてボディ内の蓄電部に蓄電された電気により、第１コネクタ部を介しての携帯電話機への充電機能と、第２コネクタ部を介してのパーソナルコンピュータへの充電又は駆動機能と、照明用の発光素子への通電による照明発光機能とを有して、充電器兼携帯ライトの役割を果たすとともに、
ソーラーパネルを有するパネル部には、ボディに形成された第２コネクタ部と接続される第３コネクタ部が形成され、
ボディ側の第２コネクタ部がパネル側の第３コネクタ部に接続されることによりソーラーパネルと蓄電部とが電気的に接続され、ソーラーパネルで発電された電気を蓄電部に蓄電するとともに、ボディ側の第２コネクタ部がパネル側の第３コネクタ部と非接続の状態のときにそのボディ側の第２コネクタ部を介してパーソナルコンピュータへの充電又は駆動を行うことを特徴とする。
【０００７】
上記本発明の携帯用充電器は、携帯電話機のコネクタ部に直かに接続して、携帯電話機の充電池に電気を充電することができるとともに、パーソナルコンピュータのコネクタ部に接続されることにより、パーソナルコンピュータの充電池を充電したり、或いはパーソナルコンピュータを直接駆動したりでき、かつ持ち運びも簡単である。この充電器自体が蓄電池（充電池）であるから、太陽光又は明るい所にしばらくおけば、電源の確保や乾電池補充の心配がなく、太陽光（ソーラー）発電により無償で蓄電され、経済的であり、かつ環境を汚すこともなく好ましい。
【０００８】
そして、照明用発光素子を備え、ソーラーパネルで発電されて内部の蓄電部に蓄えられた電気を利用して発光素子を発光させ、照明用の携帯ライトとして使用できるから、暗い場所での作業や、緊急時の臨時の照明としても利用でき、利便性が高い。その照明機能もソーラー蓄電によるため、電源の心配をする必要なく、いざという時にも威力を発揮する。
【０００９】
例えば災害対策として、この発明の充電器を携帯していれば、地震等の天災地変の災害時に、停電で家庭用商用電力が使用できなくなっても、携帯電話機に常に充電が可能であり、また通常の電話機が使用不能となっても、このソーラー蓄電する充電器で充電を重ねれば携帯電話の使用が継続でき、かつその災害時の夜間（又は暗所）における非常用携帯ライトとして、ソーラー蓄電された電気によりこの充電器の発光素子を発光させることにより、例えば暗闇の中で携帯電話機を捜すとか、ドアの鍵穴を見つけるとか、緊急避難経路を発見するとかといった緊急目的に資する照明として役立たせることができる。また、パーソナルコンピュータ（例えばノート型パソコンなど）を携帯して作業をする場合などにおいても、災害時などに同様にパーソナルコンピュータの使用が継続でき、かつ非常用携帯ライトとして照明に使えば、例えば暗闇の中でパーソナルコンピュータを使う準備作業などが行い易く、使い勝手のよい携帯用充電器を提供できる。
【００１０】
その際、ソーラーパネルを有するパネル部がボディに着脱自在に取付けられ、ボディに内蔵された蓄電部と、パネル部に備えられたソーラーパネルとを切離し可能にすることできる。そして、パネル部には、ボディに形成された第２コネクタ部と接続される第３コネクタ部が形成され、ボディ側の第２コネクタ部がパネル側の第３コネクタ部に接続されることによりソーラーパネルと蓄電部とが電気的に接続され、ソーラーパネルで発電された電気を蓄電部に蓄電するとともに、ボディ側の第２コネクタ部がパネル側の第３コネクタ部と非接続の状態のときにそのボディ側の第２コネクタ部を介してパーソナルコンピュータへの充電又は駆動を行うようにできる。このように第２コネクタ部は、ソーラーパネルと蓄電部との接続端子と、パーソナルコンピュータと蓄電部との接続端子として共用できる。また、第２コネクタ部は、ＵＳＢ方式でパーソナルコンピュータと接続するようにでき、接続が容易にできる。
【００１１】
また、その際、ボディは扁平でほぼ方形状をなし、その端部に第２コネクタ部を設けることができる。パネル部は扁平でほぼ方形状をなし、ボディに取付けられたときに、ソーラーパネルを外にしてボディの表面を覆う形態を呈し、その端部にソーラーパネルの裏面側に張り出した張出部を形成することができる。そして、パネル部がボディに取付けられるときに、ボディの第２コネクタ部が設けられた端部に対向する張出部の内側面に第３コネクタ部を設けることができる。パネル部とボディとが離脱状態のときに第２コネクタ部と第３コネクタ部とが露出するとともに、パネル部がボディに取付けられたときに第２コネクタ部と第３コネクタ部とが接続状態でパネル部の張出部により隠蔽された形態を呈するようにできる。このようにパネル部がボディに取付けられたときに第２コネクタ部と第３コネクタ部とが隠蔽されるので、第２コネクタ部と第３コネクタ部が露出しないように保護できる。
【００１２】
さらに、その際、ボディの長手方向の両外側面にスライドガイド部（例えばガイド溝部）を形成するとともに、パネル部の長手方向のソーラーパネルの裏面両側に、スライドガイド部にスライド可能に係合する被スライドガイド部（例えばガイド突条部）を形成することができる、ボディのスライドガイド部にパネル部の被スライドガイド部が係合状態でスライドすることにより、パネル部がボディに着脱される際のガイドの役割を果たし、そのボディに対するパネル部のそのスライドの終端付近でパネル部の第３コネクタ部とボディの第２コネクタ部とが、そのスライド移動を利用して嵌まり合って電気的に接続状態となり、その接続状態となったときにソーラーパネルで発電された電気を蓄電部に蓄電する一方、ボディの第２コネクタ部とパネル部の第３コネクタ部とが離脱して、非接続状態となったときに第２コネクタ部を介してパーソナルコンピュータへの充電又は駆動を行うことができる。このようにスライドガイド部に被スライドガイド部が係合状態でスライドすることによりパネル部とボディとの着脱の際のガイドとなるので、パネル部をボディに取付けの際に第２コネクタ部と第３コネクタ部との位置合わせが確実にでき結合が円滑に行え、かつ取外しの際もガイドとなって円滑に引き抜くことができる。
【００１３】
また、ボディの第２コネクタ部の反対側の端部に発光素子を設けることができる。これによりパネル部をボディに取付けた状態のまま発光素子を照明として使うこともでき使い勝手もよい。
【００１４】
さらに、ボディの発光素子の側の端部に、該端部の端面上に出現状態と非出現状態とを呈するように移動可能に第１コネクタ部を設けることができる。そして、ボディの第１コネクタ部の側に、該第１コネクタ部を出現状態と非出現状態との間で移動させるコネクタ移動操作部材を設けることができる。このように第１コネクタ部をボディの外面に突出しないように保護できる。
【発明を実施するための最良の形態】
【００１５】
（実施例）
以下、本発明の実施の形態につき、図面に示す実施例を参照して説明する。図１は本発明の携帯用充電器１の斜視図、図２は携帯用充電器１を裏返した状態を示す斜視図、図３は図２の分解斜視図である。携帯用充電器１は、携帯電話機の充電池が消耗したときに携帯電話機に接続されて該充電池に電気を充電する携帯可能な携帯用充電器である。
【００１６】
この充電器１は、携帯電話機とほぼ同程度の大きさを有する携帯可能なボディ２と、ソーラー発電用のソーラーパネル３を有しボディ２とほぼ同程度の大きさのパネル部４とを備えている。パネル部４はボディ２に着脱自在に設けられ、取付けられたときに一体的となり、ソーラーパネル３を外にしてボディ２の表面を覆う形態を呈する。ボディ２は、自身に内蔵されソーラーパネル３で発電された電気を蓄える蓄電池５（図７参照）と、ボディ２の一端部に設けられ、そのボディ２内の蓄電池５から電力供給を受けて発光する照明用の発光素子６（この例ではＲＧＢ３色の各発光ダイオードを組み合わせて白色光又は白色光に近い光を発光する発光ダイオード（以下、照明ＬＥＤという））と、ボディ２の底面（ソーラーパネル３を有するパネル部４で覆われないボディ面、この例では裏面）に設けられてその照明用のＬＥＤ６への通電をオン・オフする照明スイッチ（点灯ボタン）７と、ボディ２に形成され、携帯電話機８のコネクタ部８ａ（図５参照）に接続コード３１及び接続用コネクタ部３２を介し接続されることにより、ソーラーパネル３で発電されてボディ２内の蓄電池５に蓄電されている電気を、携帯電話機の充電池（図示せず）に充電する第１コネクタ部９とを備えている。
【００１７】
ボディ２はその横断面における外殻及び厚みは、扁平なほぼ方形状をなしている。上記第１コネクタ部９と照明ＬＥＤ６とはボディ２の同じ側の端部に位置する。ボディ２の第１コネクタ部９や照明ＬＥＤ６が設けられた端部の反対側の端部に、パーソナルコンピュータ１０（例えばノート型パソコン）のコネクタ部１０ａ（図６参照）に接続コード１１（本実施例ではＵＳＢ方式でパーソナルコンピュータ１０との接続を行なうＵＳＢコード）を介して接続されることによりソーラーパネル３で発電されてボディ２内の蓄電池５に蓄電されている電気をパーソナルコンピュータ１０の充電池（図示しない）に充電、又は蓄電池５に蓄電されている電気によりパーソナルコンピュータ１０を直接駆動する第２コネクタ部１２（ＵＳＢコネクタ）を設けている。第２コネクタ部１２は、ソーラーパネル３と蓄電池５との接続端子と、パーソナルコンピュータ１０と蓄電池５との接続端子として共用される。
【００１８】
また、照明ＬＥＤ６は、ボディ２の端面から突出しないように、ボディ２の端面の中央部に形成された半球面状の凹部６ａの中心部に配置され、その照明ＬＥＤ６の先端は、ボディ２の端面とほぼ同一面上か、それより低い位置に引っ込んでおり、それにより照明ＬＥＤ６が保護されている。
【００１９】
点灯ボタン７は、ボディ２の底面に形成された楕円形状の凹部７ｂに配置され、ボディ２の底面とほぼ同じ面上か、それより引っ込んだ位置となって保護されている。
【００２０】
第１コネクタ部９は、ボディ２の端部に、該端部の端面上に出現状態と非出現状態とを呈するように移動可能に設けられている。そして、ボディ２の底面（パネル部４で覆われないボディ面）の第1コネクタ部９側に位置して、第１コネクタ部９を出現状態と非出現状態との間で移動させる回動自在の操作レバー１３（コネクタ移動操作部材）が設けられている。操作レバー１３を軸Ｏ１を中心にして図２のＡ方向に回動させることにより、操作レバー１３と連動する機構（例えばカムなどの回転運動を直線往復運動に変換する機構）が作動し第１コネクタ部９を端面から出現状態にできるとともに、この操作レバー１３を逆方向に回動させることにより非出現状態にできる。通常状態では第１コネクタ部９が非出現状態となっており、ボディ２の外面に突出しないように保護されている。操作レバー１３は、ボディ２の底面に形成された円形状の凹部１３ａに配置され、ボディ２の底面とほぼ同じ面上か、それより引っ込んだ位置となって保護されている。
【００２１】
パネル部４はその横断面における外殻及び厚みは、ボディ２と同様に扁平なほぼ方形状をなしている。パネル部４は、その端部にソーラーパネル３の裏面側の面（パネル部４のソーラーパネル３が配置された面と反対側の面、この例ではパネル部４の裏面）に張出した張出部１４が形成され、パネル部４がボディ２に取付けられるときに、ボディ２の第２コネクタ部１２が設けられた端部に対向する張出部１４の内側面に第３コネクタ部１５（ＵＳＢコネクタ）が設けられている。
【００２２】
張出部１４は、図３に示すように、パネル部４の裏面側から延出するように張出した第１張出部１４ａと、この第１張出部１４ａに続いてさらに先に延出する第２張出部１４ｂとを有する。第３コネクタ部１５は、第１張出部１４ａと第２張出部１４ｂとの境界部分の第１張出部１４ａの内側面に設けられている。第１張出部１４ａはパネル部４の樹脂成形において、一体に形成できる。第２張出部１４ｂは別体とすることができ、螺子などの固定部材で第１張出部１４ａに固定される。第３コネクタ部１５はオスコネクタで形成され、一方第２コネクタ部１２はメスコネクタで形成されており、差し込み結合され、接続状態となる。第２コネクタ部１２が第３コネクタ部１５に接続されることによりソーラーパネル３で発電された電気が蓄電池５に蓄電される。
【００２３】
パネル部４とボディ２とが離脱状態のときに第２コネクタ部１２と第３コネクタ部１５とが露出するとともに、パネル部４がボディ２に取付けられたときに第２コネクタ部１２と第３コネクタ部１５とが接続状態で隠蔽された形態を呈し、保護される。
【００２４】
ボディ２の長手方向の両外側面に溝部３６が形成されるとともに、パネル部４の長手方向のソーラーパネル３の裏面側の面（パネル部４のソーラーパネル３が配置された面と反対側の面、この例ではパネル部４の裏面）の両側に溝部に係合する突条部３７を有する仕切壁３８が形成されている。パネル部４の樹脂成形において、仕切壁３８及び突条部３７を一体に形成できる。仕切壁３８の高さ寸法（ソーラーパネル３が配置される面を表面或いは上面としたとき上下方向の高さ寸法）は、第１張出部１４ａとほぼ同じ高さに揃えることができる。突条部３７は仕切壁３８の端縁に形成され、突縁となっている。
【００２５】
図４はパネル部４の第３コネクタ部１５とボディ２の第２コネクタ部１２とがスライドを利用して嵌まり合う状態を示す説明図である。パネル部４をボディ２に取付ける際には、パネル部４の第３コネクタ部１５にボディ２の第２コネクタ部１２が相対するように突条部３７を溝部３６に挿入する。溝部３６に突条部３７が係合状態でスライドすることにより、パネル部４がボディ２に着脱される際のガイドの役割を果たし、そのボディ２に対するパネル部４のそのスライドの終端付近でパネル部４の第３コネクタ部１５とボディ２の第２コネクタ部１２とが、そのスライド移動を利用して嵌まり合って電気的に接続状態となる。第２コネクタ部１２と第３コネクタ部１５との結合（及び離脱）が円滑に行える。第２コネクタ部１２とパネル部４の第３コネクタ部１５とが結合して、接続状態となったときにソーラーパネル３で発電された電気をボディ２の蓄電池５に蓄電する一方、ボディ２の第２コネクタ部１２とパネル部４の第３コネクタ部１５とが離脱して、非接続状態となったときに第２コネクタ部１２を介してパーソナルコンピュータ１０への充電又は駆動を行うことができる。
【００２６】
パネル部４がボディ２に取付けられたとき、ボディ２の底面（ソーラーパネル３が配置される面を表面或いは上面としたときに最下面）は第２張出部１４ｂの底面（最下面）とほぼ同じ面位置となるように、第２張出部１４ｂの高さ寸法（ソーラーパネル３が配置される面を表面或いは上面としたとき上下方向の高さ寸法）を決めている。これによりパネル部４をボディ２に取付けた状態でソーラーパネル３を上面として置いたときに安定性がよい。
【００２７】
通常状態では、ボディ２にパネル部４がソーラーパネル３を外にして（表面にして）一体的に取付けられた状態で使用される。ボディ２の表面に配置されたソーラーパネル３は、太陽光エネルギーを電気エネルギーに変換する光電変換部１６を備えるとともに、その光電変換部１６で得られる電気を蓄える蓄電部としての蓄電池（充電池）５を備え、その蓄電池５から第１コネクタ部９及び照明ＬＥＤ６に通じる回路が構成されている。蓄電池５から照明ＬＥＤ６に通じる回路には、蓄電池５から照明ＬＥＤ６への通電をオン・オフする照明スイッチ７ａが設けられている。このスイッチ７ａを操作する操作部材として前記点灯ボタン７が押下されると、その押下されている間、蓄電池５からの電流で照明ＬＥＤ６が発光（点灯）することとなる。もちろん、点灯ボタン７が１回押されるとその押下状態が解除されても点灯状態を維持し、再度押されると消灯するようにスイッチ７ａを構成することもできる。
【００２８】
図８は、ボディ２の内部の回路構成をより詳しく図示する図である。ソーラーパネル３には、上記光電変換部１６として、多数の光電変換素子１６ａ（太陽電池）が配置され、第３コネクタ部１５及び第２コネクタ部１２を介し、そこで得られた電力が逆流ダイオード２０を介して、蓄電池５に蓄電される。蓄電池５に蓄電される電圧が過度に上がらないように、蓄電池５と並列に過充電防止ツェナーダイオード２１が設けられ、蓄電池５に設定量まで蓄電されると、このダイオード２１を介して電荷が逃がされる。照明スイッチ７ａ及び照明ＬＥＤ６は、蓄電池５及び第１コネクタ部９と並列に組み込まれている。
【００２９】
そして、パーソナルコンピュータ１０の充電又は駆動を行うときに切替える切替手段として電磁リレー式の切替スイッチ３３が設けられている。パネル部４がボディ２と離脱され、第２コネクタ部１２を介してパーソナルコンピュータ１０の充電又は駆動を行うときに、切替スイッチ３３はａ接点からｂ接点に切替えられて、第２コネクタ部１２が蓄電池５と並列となるように組み込まれている。そして、パネル部４がボディ２に取付けられたときに、切替スイッチ３３がｂ接点からａ接点に切替えられ（復帰し）、ソーラー発電された電気を蓄電池５に蓄電可能状態となる。電磁リレー式の切替スイッチ３３は回路切替手段として機能する。
【００３０】
以上のようなソーラー式の充電器１は、常に携帯することができ、太陽光等の光に当てておけば、自然に発電されてその電気が蓄電池５に蓄電される。そして携帯電話機の充電が必要になった場合、操作レバー１３をＡ方向に回動させることにより第１コネクタ部９が出現状態となる。
【００３１】
その状態で、図５に示すように、その第１コネクタ部９を接続コード３１及び接続コネクタ部３２を介し携帯電話機８のコネクタ部８ａ（差込口）に接続すれば、この充電器１の蓄電池５に蓄電されている電気が、第１コネクタ部９を経て、携帯電話機８の図示しない充電池に、両者の電位差に基づき簡単に充電される。なお、接続コード３１の両端には、第１コネクタ部９、接続コネクタ部３２にそれぞれ接続のための端子３１ａ、３１ｂが形成されている。最近の携帯電話機８は、様々な付加機能（例えばバイブレータ、時間設定アラーム、動画表示、デジタルカメラ等）により相当の電力を消費し、その充電池の消耗（バッテリー切れ）も早い傾向があるが、この充電器１を携帯していれば、特に電源がなくとも、太陽発電によりいつでも、どこでも携帯電話機に充電ができ、安心感がある。
【００３２】
携帯電話機７への充電が終われば、接続コード３１及び接続コネクタ部３２を充電器１の第１コネクタ部９及び携帯電話機８のコネクタ部８ａから抜き、操作レバー１３を逆方向に回動すれば、第１コネクタ部９が露出しない状態となり保護される。
【００３３】
次に、パーソナルコンピュータ１０に充電が必要になった場合、パネル部４を突条部３７と溝部３６とからなるガイドを利用してボディ２から取り外すと、第２コネクタ部１２が表れる。切替スイッチ３３により回路が切替えられて、第２コネクタ部１２が蓄電池５と並列の状態となる。第２コネクタ部１２は、ソーラーパネル３と蓄電池５との接続端子と、パーソナルコンピュータ１０と蓄電池５との接続端子として共用できる。
【００３４】
その状態で、図６に示すように、第２コネクタ部１２を接続コード１１を介しパーソナルコンピュータ１０のコネクタ部１０ａ（差込口）に接続すれば、この充電器１の蓄電池５に蓄電されている電気が、第２コネクタ部１２を経て、パーソナルコンピュータ１０の図示しない充電池に、両者の電位差に基づき充電される。この場合、充電するのではなく、充電器１の蓄電池５に蓄電されている電気によりパーソナルコンピュータ１０を直接駆動することもできる。なお、接続コード１１の両端には、第２コネクタ部１２、パーソナルコンピュータ１０のコネクタ部１０ａにそれぞれ接続のための端子（ＵＳＢコネクタ）１１ａ、１１ｂが形成されている。最近のパーソナルコンピュータ１０はカラー液晶機能や画像情報の高解像度化、処理の高速化などの種々機能が搭載され、電力消費量も大きく、充電池の消耗も早い傾向にあるが、太陽発電により時と場所に関係なく充電ができ、災害時にパーソナルコンピュータが使えなくなってしまうといったことも回避でき安心である。
【００３５】
パーソナルコンピュータ１０への充電が終われば、接続コード１１を充電器１の第２コネクタ部１２及びパーソナルコンピュータ１０のコネクタ部１０ａから抜き、パネル部４を突条部３７と溝部３６とからなるガイドを利用してボディ２に取付ければ、第２コネクタ部１２と第３コネクタ部１５との結合が円滑に行え、結合状態で第２コネクタ部１２と第３コネクタ部１５とが露出しない状態となり保護される。
【００３６】
そして、夜間や暗所で明かりが欲しい時には、この充電器１の点灯ボタン７を押せば、図８のスイッチ７ａが閉じ（オンとなり）、照明ＬＥＤ６が点灯する。つまり、この充電器１を携帯ライトとして使用することができる。例えば、突発的に起こる災害時の暗闇の中で、非常用携帯照ライトとして、避難路を捜したり、他人を救出したり、また携帯電話機との関係では、暗闇の中のどこかにある携帯電話機を捜すことに用いたりすることができる。また、暗闇の中でパーソナルコンピュータを使う準備作業などが行い易く、使い勝手のよい携帯用充電器を提供できる。なお、照明ＬＥＤ６として、その直列抵抗で発熱消費される電力を低減して、照明に使用される電力を増大する（照明効果を向上する）ために、ＬＥＤチップを直列に多段接続したスタックＬＥＤを使用してもよい。
【００３７】
以上のように、この充電器１は、ソーラーパネル３で発電されてボディ２内の蓄電池５に蓄電された電気により、第１コネクタ部９を介しての携帯電話機への充電機能と、第２コネクタ部１２を介してのパーソナルコンピュータへの充電又は駆動機能と、照明ＬＥＤ６への通電による照明発光機能との３つ機能を有して、充電器兼携帯ライトの役割を果たす。
【００３８】
なお、携帯電話機やパーソナルコンピュータに充電する前に、点灯ボタン７を押して、照明ＬＥＤ６が点灯しない状態は、充電器１の蓄電が不充分とする警告表示とすることができる。言い換えれば、携帯電話機やパーソナルコンピュータに対する充電が不適と判断されたこととなり、その場合はこの充電器１を太陽光等に当てて蓄電し、点灯ボタン７を押して照明ＬＥＤ６が点灯すれば、充電が可能状態にあると判断することができる。この場合の照明ＬＥＤ（発光素子）６は、照明のための光源と、充電可能か否かを表示する充電可否表示部との双方の機能を果たす相乗効果が得られる。
【００３９】
また、本実施例に次のような変形を加えることもできる。ボディ２にはソーラーパネル３での発電によりボディ２内の蓄電池５に蓄電された蓄電量の目安を表示する充電適否表示用の発光素子が、照明用の発光素子（照明ＬＥＤ６）とはまったく別の位置においてボディ２の底面（ソーラーパネル３を有するパネル部４で覆われないボディ面（裏面））の所定位置に設けられるようにしてもよい。さらにボディ２に、その充電適否表示用の発光素子への通電をオン・オフする充電適否表示スイッチが設けられるようにすることもできる。この場合、その表示用のスイッチを照明用のスイッチと共通のスイッチとすることができる。また、充電適否表示用の発光素子を照明用の発光素子６にごく近接させて設けることもできる。
【００４０】
さらに、実施例ではボディ２に溝部３６、パネル部４に突条部３７を形成したが、ボディ２とパネル部４とのいずれか一方にガイド溝部、他方に該ガイド溝部にスライド可能に係合するガイド突条部とが形成されるようにしてもよい。
【図面の簡単な説明】
【００４１】
【図１】本発明の携帯用充電器の一例を示す斜視図。
【図２】その充電器を裏返した状態を示す斜視図。
【図３】図２の分解斜視図。
【図４】パネル部の第３コネクタ部とボディの第２コネクタ部とがスライドを利用して嵌まり合う状態を示す説明図。
【図５】その充電器の携帯電話機への接続状態を示す説明図。
【図６】その充電器のパーソナルコンピュータへの接続状態を示す説明図。
【図７】この充電器の回路構成を簡略に示すブロック図。
【図８】図７を更に詳しく示す回路図。
【符号の説明】
【００４２】
１    携帯用充電器
２    ボディ
３    ソーラーパネル
４    パネル部
５    蓄電池
６    照明ＬＥＤ（照明用発光素子）
７    点灯ボタン
８    携帯電話機
９    第１コネクタ部
１０  パーソナルコンピュータ
１２  第２コネクタ部
１３  操作レバー（コネクタ移動操作部材）
１４  張出部
１５  第３コネクタ部
３６  溝部（スライドガイド部；ガイド溝部）
３７  突条部（被スライドガイド部；ガイド突条部）
【要約】
【課題】携帯電話機への充電機能に加え、パーソナルコンピュータへの充電又は駆動機能を有し、携帯し易く、災害時等にも役立つソーラー蓄電を用いた携帯用充電器を提供することを課題とする。
【解決手段】ボディ２にソーラーパネル３を有するパネル部４が着脱自在に取付けられている。ボディ２の一端部には照明ＬＥＤ６と第１コネクタ部９とが設けられるとともに、ボディ２の他端部にはパネル部４がボディ２から取外されときに表れる第２コネクタ部１２が設けられている。パネル部４には、パネル部４がボディ２に取付けられたときに第２コネクタ部１２と接続される第３コネクタ部１５が設けられている。第２コネクタ部１２と第３コネクタ部１５とが接続された状態でソーラーパネル３で発電された電気はボディ２内の蓄電池５に蓄電される。蓄電された電気は、第１コネクタ部９が携帯電話機に接続された状態で携帯電話機の充電池へ充電される。また、蓄電池５に蓄電された電気は、第２コネクタ部１２がパーソナルコンピュータに接続された状態でパーソナルコンピュータの充電池へ充電される。さらに蓄電池５に蓄電された電気により、点灯ボタン７を押すことで、照明用ＬＥＤ６を点灯させることができる。この充電器は充電器兼携帯ライトの役割を果たす。
【選択図】図１
【図１】
0003665062.tif 000002
【図２】
0003665062.tif 000003
【図３】
0003665062.tif 000004
【図４】
0003665062.tif 000005
【図５】
0003665062.tif 000006
【図６】
0003665062.tif 000007
【図７】
0003665062.tif 000008
【図８】
0003665062.tif 000009